(57)【要約】【課題】大きなエネルギーを消費することなく一段低い冷凍の庫内温度が得られるようにした特徴ある冷凍冷蔵庫を提供する。【解決手段】冷蔵庫本体１に、蒸発器１５によって熱交換された冷気によって庫内が冷却される少なくとも複数の冷凍室７、９、１１を設ける。冷媒にはＲ２９０（プロパン）を使用すると共に、前記複数の冷凍室７、９、１１の内、一つの冷凍室を他の冷凍室よりさらに低い庫内温度に設定される低温冷凍室９とし、さらに低い冷凍の庫内温度が得られるようにする。【選択図】図１
2009222244.tif 000002
【特許請求の範囲】
【請求項１】
冷蔵庫本体に、Ｒ２９０（プロパン）の冷媒が使用され圧縮機から吐出された冷媒が凝縮器、絞り装置、蒸発器を通り、再び圧縮機に戻る冷凍サイクルと、前記蒸発器によって熱交換された冷気によって庫内が冷却される少なくとも複数の冷凍室とを備え、
前記複数の冷凍室の内、一つの冷凍室は他の冷凍室よりさらに低い庫内温度に設定される低温冷凍室になっていることを特徴とする冷凍冷蔵庫。
【請求項２】
前記低温冷凍室は、内部に配置された食品ボックスが断熱材で形成されると共に食品ボックス内を直接冷気が循環する構造となっていることを特徴とする請求項１記載の冷凍冷蔵庫。
【請求項３】
前記低温冷凍室は、他の冷凍室より断熱抵抗の大きい断熱材で構成されていることを特徴とする請求項１又は２記載の冷凍冷蔵庫。
【請求項４】
前記低温冷凍室は、加熱室として使用可能なヒータを備えていることを特徴とする請求項１、２、３のいずれかに記載の冷凍冷蔵庫。
【請求項５】
前記低温冷凍室は、少なくとも除霜運転中にある時、低温冷凍室のダクト通路を閉とする開閉弁を備えていることを特徴とする請求項１、２、３、４のいずれかに記載の冷凍冷蔵庫。
【請求項６】
前記低温冷凍室を除いた複数の冷凍室は、前記低温冷凍室が運転中にある時、各冷凍室のダクト通路を閉とする開閉弁を備えていることを特徴とする請求項１、２、３、４、５のいずれかに記載の冷凍冷蔵庫。
【発明の詳細な説明】
【技術分野】
【０００１】
本発明は冷媒にＲ２９０（プロパン）を用いた冷凍冷蔵庫に関する。
【背景技術】
【０００２】
近年、地球環境の問題から冷凍冷蔵庫の冷媒にフロンからＲ２９０（プロパン）等の自然冷媒を用いたものが公知となっている。
【０００３】
Ｒ２９０の冷媒は、地球環境に優しいだけでなく物性値特性から高い冷凍能力を有するため、庫内がマイナス温度となる冷凍室を冷却するのに適している。
【特許文献１】特開２００５−１６８７２号公報
【発明の開示】
【発明が解決しようとする課題】
【０００４】
冷凍冷蔵庫は、冷蔵室、野菜室の外に、氷を作る製氷室を始めとして複数の冷凍室を有し、複数の冷凍室は横並びで同一のマイナス温度に冷却される。
【０００５】
冷凍室の各庫内温度は、氷を作ったり、冷凍食品等を保存できる温度帯に冷却されるが、高い冷媒能力を有していながらその能力を生かしきっていないのが現状となっている。
【０００６】
そこで、本発明にあっては、大きなエネルギーを消費することなくさらに低い冷凍の庫内温度が得られるようにした特徴ある冷凍冷蔵庫を提供することを目的とする。
【課題を解決するための手段】
【０００７】
前記目的を達成するために、本発明にあっては、冷蔵庫本体に、Ｒ２９０（プロパン）の冷媒が使用され圧縮機から吐出された冷媒が凝縮器、絞り装置、蒸発器を通り、再び圧縮機に戻る冷凍サイクルと、前記蒸発器によって熱交換された冷気によって庫内が冷却される少なくとも複数の冷凍室とを備え、
前記複数の冷凍室の内、一つの冷凍室は他の冷凍室よりさらに低い庫内温度に設定される低温冷凍室になっていることを特徴とする。
【発明の効果】
【０００８】
本発明によれば、複数の冷凍室の内、一つを他の冷凍室の庫内温度よりさらに低い温度となる低温冷凍室にできるため特徴を備えた冷凍室の提供ができる。しかも、高い冷凍能力の冷媒を使用することと併せて全部の冷凍室ではなく、一つの冷凍室だけで済むため大きなエネルギーを消費することなくさらに低い冷凍の庫内温度にすることができる。
【発明を実施するための最良の形態】
【０００９】
本発明を実施するためにあたって、第１に前記低温冷凍室の内部に配置された食品ボックスを断熱材で形成すると共に食品ボックス内を直接冷気が循環する構造とすることで効率よくマイナスの冷却温度が得られるようにすることが望ましい。
【００１０】
第２に前記低温冷凍室を、他の冷凍室より断熱抵抗の大きい断熱材で構成することで、庫内壁面から熱が逃げないようにすることが望ましい。
【００１１】
第３に前記低温冷凍室に、加熱室として使用可能なヒータを備えるようにすることで、マイナス温度からプラス温度まで幅広い温度帯が得られるようにすることが望ましい。
【００１２】
第４に前記低温冷凍室に、少なくとも除霜運転中にある時、低温冷凍室のダクト通路を閉とする開閉弁を備えるようにすることで、除霜運転中は低温冷凍室への冷気の出・入りを遮断するようにすることが望ましい。
【００１３】
第５に前記低温冷凍室を除いた複数の冷凍室に、前記低温冷凍室が運転中にある時、各冷凍室のダクト通路を閉とする開閉弁を備えるようにすることで、冷気が集中して低温冷凍室内へ送り込まれるようにすることが望ましい。
【実施例】
【００１４】
以下、図１乃至図５の図面を参照しながら本発明の実施形態について具体的に説明する。
【００１５】
図４は本発明にかかる冷凍冷蔵庫の概要正面図を示している。冷蔵庫本体１は冷蔵室３、野菜室５の外に複数の冷凍室を有している。
【００１６】
複数の冷凍室は左右に並んだ製氷室７及び低温冷凍室９とその下位の一般冷凍室１１からなる構造となっている。この場合、野菜室５は冷蔵室３内に配置される手段を採用してもよい。また、一般冷凍室１１の下位に配置する手段を採用してもよく、レイアウト構造については自由である。
【００１７】
冷蔵室３、野菜室５を始めとして製氷室７、低温冷凍室９、一般冷凍室１１の前面はそれぞれ開閉扉３ａ，５ａ，７ａ，９ａ，１１ａとなっており、各開閉扉３ａ，５ａ，７ａ，９ａ，１１ａをそれぞれ開けることで食料品等の出し入れが可能となる。各開閉扉３ａ，５ａ，７ａ，９ａ，１１ａはヒンジタイプ、引き出しタイプいずれのタイプであってもよい。
【００１８】
冷蔵室３及び野菜室５は、図３に示す如く第１の蒸発器１３によって熱交換された冷気が庫内を循環することで庫内冷却が行われる。
【００１９】
製氷室７、低温冷凍室９、一般冷凍室１１は第２の蒸発器１５によって熱交換された冷気が循環することで冷却が行われる。
【００２０】
第１、第２の蒸発器１３、１５は、圧縮機１７を始めとして凝縮器１９及び絞り装置となる第１、第２キャピラリチューブ２１、２３を介して連結され、圧縮機１７から吐出された冷媒は凝縮器１９から３方弁２５を介して第１、第２キャピラリチューブ２１、２３、第１、第２の蒸発器１３、１５を通り、再び圧縮機１７に戻る冷凍サイクルを構成する。冷媒には地球環境に優しく、高い冷凍能力を発揮するＲ２９０（プロパン）が用いられている。
【００２１】
一方、複数の冷凍室となる製氷室７、低温冷凍室９、一般冷凍室１１の内、低温冷凍室９は、他の製氷室７及び一般冷凍室１１の庫内温度よりさらに低い例えば−３０℃の冷凍の庫内温度が得られるようになっている。
【００２２】
具体的には、冷媒にＲ２９０を使用する点に加えて図１に示す如く低温冷凍室９を構成する周壁の断熱材２７に真空断熱材を用いる。あるいは、断熱層を厚くする等の手段によって断熱抵抗を高めた構造として、熱が外へ逃げるのを防ぐようにする。
【００２３】
または、低温冷凍室９の内部に開閉蓋２９を備えた食品ボックス３１を配置し、その食品ボックス全体を断熱材によって構成すると共に、ファン３３によって冷気が食品ボックス３１内を直接循環する構造とする。
【００２４】
または、図１に示すごとく低温冷凍室９の取入れ側及び吐出側の各ダクト通路３５、３６に開閉弁３７、３９をそれぞれ設け、例えば、除霜運転中にある時は各開閉弁３７、３９を閉として冷気の出・入りを遮断し、現状の庫内温度の維持を図る。
【００２５】
あるいは、図２に示す如く製氷室７と一般冷凍室１１の吹出し側の各ダクト通路４１、４３に各開閉弁４５、４７を、取入れ側の各ダクト通路４９、５１に各開閉弁（図示していない）をそれぞれ設け、低温冷凍室９の冷凍運転中にある時は各開閉弁４３、４５を閉として冷気が集中して低温冷凍室９内へ送り込まれるようにする。これら各手段は単独でそれぞれ実施してもよく、組合わせる手段としてもよい。
【００２６】
このように構成された冷凍冷蔵庫によれば、複数の冷凍室の内、一つは製氷室７及び一般冷凍室１１より庫内温度がさらに低い冷凍の低温冷凍室９が得られるようになり、特徴ある冷凍冷蔵庫の提供が可能となる。この時、高い冷凍能力の冷媒を使用している点に加えて、一つの庫内温度だけで済むため、大きなエネルギーを消費することなくさらに低い低温の庫内が得られる。
【００２７】
図５は低温冷凍室９の別の実施形態を示したものである。
【００２８】
この実施形態は、低温となるマイナス温度から高温のプラス温度まで幅広い温度帯が得られるようにしたもので、食品ボックス３１の内周壁に沿ってオン・オフ可能なヒータ５３を設けるようにしたものである。
【００２９】
したがって、必要に応じてヒータ５３をオンとすることで食品ボックス３１内を加熱室として使用できるようになり、マイナス温度からプラス温度まで幅広い使用目的の庫内が得られるようになる。
【図面の簡単な説明】
【００３０】
【図１】本発明にかかる低温冷凍室を示した概要切断側面図。
【図２】製氷室、低温冷凍室、一般冷凍室を示した概要切断正面図。
【図３】冷凍サイクル図。
【図４】本発明にかかる冷凍冷蔵庫の概要正面図。
【図５】食品ボックス内にヒータを設けた低温冷凍室の別の実施形態を示した図１と同様の概要切断側面図。
【符号の説明】
【００３１】
１    冷蔵庫本体
３    冷蔵室
５    野菜室
７    製氷室
９    低温冷凍室
１１    一般冷凍室
１３    第１の蒸発器
１５    第２の蒸発器
１７    圧縮機
１９    凝縮器
２１    第１のキャピラリチューブ（絞り装置）
２３    第２のキャピラリチューブ（絞り装置）
３１    食品ボックス
３５、３６、４１、４３    ダクト通路
３７、３９、４５、４７    開閉弁
【図１】
2009222244.tif 000003
【図２】
2009222244.tif 000004
【図３】
2009222244.tif 000005
【図４】
2009222244.tif 000006
【図５】
2009222244.tif 000007